(57)【要約】【課題】蓋の積み重ねができる態様で添加物を容易に備えることができ、ごみを増やすことなく、容易に添加物を添加できる添加物付き蓋を提供する。【解決手段】その蓋は、次の要件を備えている。積み重ね可能な形状を有すること。周壁と天板とによって形成されている収容空間に、貫通部材を貫通して引き抜くと貫通孔が形成され得る、中に添加物を収容して密閉した添加物容器が収容され、その添加物容器の一部が天板に固定されていること。貫通部材を添加物容器に上下方向に貫通するための孔が天板に設けられていること。添加物容器は、蓋の積み重ねを妨げない厚みを有すること。【選択図】　　　図２
2004115093.tif 000002
【特許請求の範囲】
【請求項１】
下記の要件を備えたことを特徴とする添加物付き蓋。
（ａ）積み重ね可能な形状を有すること。
（ｂ）周壁と天板とによって形成されている収容空間に、貫通部材を貫通して引き抜くと貫通孔が形成され得る、中に添加物を収容して密閉した添加物容器が収容され、その添加物容器の一部が前記天板に固定されていること。
（ｃ）前記貫通部材を前記添加物容器に上下方向に貫通するための孔が前記天板に設けられていること。
（ｄ）前記添加物容器は、蓋の積み重ねを妨げない厚みを有すること。
【請求項２】
天板に設けられている孔は、剥離可能なシールで密閉され、そのシールには、前記孔の下側に固定されている添加物容器に収容されている添加物の種類を示す文字等が印刷されていることを特徴とする請求項１に記載された添加物付き蓋。
【請求項３】
貫通部材は摘み部と差し込み部を有し、天板の上面に分離可能に添着されていることを特徴とする添加物付き蓋。
【請求項４】
下記の要件を備えたことを特徴とする添加物付き蓋。
（ａ）積み重ね可能な形状を有すること。
（ｂ）天板を周壁の間に窪ませて収容空間が形成され、前記周壁の上端面に前記収容空間の開口面を覆う、貫通部材の貫通が可能なシールの周縁が接合され、前記収容空間に、前記貫通部材を貫通して引き抜くと貫通孔が形成され得る、中に添加物を収容した添加物容器が固定されていること。
（ｃ）前記天板には前記収容空間に固定された添加物容器に前記貫通部材を上下方向に貫通させる孔が設けてあること。
【請求項５】
シールには添加物容器に貫通部材を貫通するための孔が形成され、その孔の近辺に前記添加物容器に収容されている添加物の種類を示す文字等が印刷されていることを特徴とする請求項４に記載された添加物付き蓋。
【請求項６】
貫通部材は摘み部と差し込み部を有し、シールの上面に分離可能に添着されていることを特徴とする請求項４又は５に記載された添加物付き蓋。
【発明の詳細な説明】
【０００１】
【発明の属する技術分野】
本発明は、添加物付き蓋、すなわち、容器内の飲食物に添加される添加物を備えた蓋に関する。
【０００２】
【従来の技術】
例えば、ファスト・フード店や列車の車内では、コーヒー等は使い捨てコップに入れて販売されることが多い。店員から受け取って、テーブル又はカウンタまで移動する間に、高温のコーヒーを零して火傷等などの事故を起こすことを防ぐため、蓋を簡単に開かないように嵌合した使い捨て蓋付きコップが用いられている。
そして、ホットコーヒーの場合、飲む時には、蓋を開け、テーブル等に用意してあるミルクや砂糖などを、それを収容しているミニカップ又は袋等を指先で開けてコップ内の飲食物に添加して、再び蓋を閉め、蓋に形成してある飲み口から飲むようにしている。アイスコーヒーの場合は、ストロー挿入口を有する蓋を用い、ミルクや砂糖などを添加した後、ストロー挿入口からストローを差し込んで飲むようにしている。
【０００３】
上記のように、ミルクや砂糖等の添加物が使い捨て蓋付コップから独立したミニカップ又は袋詰めになっている場合は、添加物をコップ内の飲食物に添加するため蓋を開ける際に、手が滑ってコップを転倒させてしまう恐れがあり、また、ミニカップ等を指先で開ける際に、添加物で指を汚すおそれがあり、さらに、添加して飲食を終了した後は、使い捨て蓋付コップのほかに、添加物消費後のミルクカップや袋及びストロー等の数々のゴミが発生し、その後片付けや廃棄に手間がかかるという問題があった。
【０００４】
この点に着目して、この発明者は、特開平９−２５１６号公報において、添加物付き蓋を開示した。これは、添加物を収容した容器（添加物容器）を蓋の天板にその天板から上方に突出するように一体に設け、その添加物容器を指先で強く摘むと、添加物容器の底面のシールが破けて添加物がコップ内に流下するようにしたもの、及び、添加物容器を蓋の天板にその天板から下方に突出するように一体に設け、ストローの尖端でその添加物容器を貫通して引き抜くと、添加物容器内の添加物がコップ内に流下するようにしたものである。
【０００５】
【発明が解決しようとする課題】
上記先行技術においては、次のような問題があった。すなわち、添加物容器が蓋の天板と一体に成形されるので、蓋の成形コストが高く付く、添加物の収容工程が容易でない。ミルク等の賞味期限が短い添加物に適用するには向かない。添加物容器が天板の上方又は下方に突出されるため、蓋の積み重ねが不可能であり、大きな保管場所を必要とする。このような問題があって、実用化まで至らなかった。
【０００６】
本発明は、上記の点に鑑みてなされたものであり、第１の課題は、蓋の積み重ねができる態様で添加物を容易に備えることができ、ごみを増やすことなく、容易に添加物を使用できる添加物付き蓋を提供することにある。
第２の課題は、店員が客の希望する種類の添加物を有する蓋を正確容易に選択して、飲食物容器に装着できる添加物付き蓋を提供することにある。
第３の課題は、添加物付き蓋のみで、換言すると、貫通部材を探し回ることなく、添加物容器から添加物を流下させることができる添加物付き蓋を提供することにある。
【０００７】
【課題を解決するための手段】
第１の課題を解決するため、請求項１の発明に係る添加物付き蓋は、下記の要件を備えたことを特徴としている。すなわち、（ａ）積み重ね可能な形状を有すること。（ｂ）周壁と天板とによって形成されている空間に、貫通部材を貫通して引き抜くと孔が形成され得る添加物容器が収容され、その添加物容器の一部が前記天板に固定されていること。（ｃ）前記貫通部材を前記添加物容器に前記天板に固定されている部分において上下方向に貫通するための孔が前記天板に設けられていること。（ｄ）前記添加物容器は、蓋の安定した積み重ねを妨げない厚みを有すること。
上記構成において、同一形状の蓋は安定した積み重ねが可能である。貫通部材を天板に設けられた孔から差し込み、添加物容器に貫通し引き抜くと、上下方向に貫通する貫通孔が形成され、上側の貫通孔から空気が入り、下側の貫通孔から添加物容器に収容された添加物が流下する。
【０００８】
第１の課題は、下記の要件を備えた請求項４の発明の添加物付き蓋によっても達成することができる。すなわち、（ａ）積み重ね可能な形状を有すること。（ｂ）天板を周壁の間に窪ませて収容空間が形成され、前記周壁の上端面に前記収容空間の開口面を覆う、貫通部材により貫通可能なシールの周縁が溶着又は接着され、前記収容空間に、前記貫通部材を貫通して引き抜くと、貫通孔が形成され得る添加物容器が固定されていること。（ｃ）前記天板には前記収容空間に固定された添加物容器に貫通部材を上下方向に貫通させる孔が設けてあること。
上記構成において、同一形状の蓋は安定した積み重ねが可能である。シールの所定位置において貫通部材を、添加物容器及び天板を通過するまで貫通し引き抜くと、上下方向に貫通する貫通孔が形成され、上側の貫通孔から空気が入り、下側の貫通孔から添加物容器に収容された添加物が流下する。
【０００９】
請求項２の発明は、第２の課題を解決するため、請求項１の添加物付き蓋における貫通部材を貫通させる孔を剥離可能なシールで密閉し、そのシールに、前記孔の下側に固定されている添加物容器に収容されている添加物の種類を示す文字、記号等を印刷したことを特徴としている。
請求項５の発明は、第２の課題を解決するため、請求項４の添加物付き蓋における収容空間の上面を密閉するシールに、添加物容器に貫通部材を貫通するための孔が形成され、その孔の近辺に前記添加物容器に収容されている添加物の種類を示す文字等が印刷されていることを特徴としている。
【００１０】
請求項６の発明は、第３の課題を解決するため、請求項４又は５の添加物付き蓋において、天板の上面に、摘み部と差し込み部を有する貫通部材が分離可能に添着されていることを特徴としている。
また、請求項６の発明は、第３の課題を解決するため、請求項４の添加物付き蓋において、シールの上面に、摘み部と差し込み部を有する貫通部材が分離可能に添着されていることを特徴としている。
【００１１】
【発明の実施の形態】
次に、本発明の実施の形態について、図面に基づいて説明する。
本発明は、飲食物を収容する容器に装着される蓋一般に適用可能であるが、図示された例は、本発明を使い捨て蓋付コップに適用した場合のものである。図１は第１の実施の形態を示す平面図、図２は図１のＸ−Ｘ線断面図、図３は蓋を積み重ねた状態の断面図である。
【００１２】
図１〜図３において、１Ａは本発明に係る蓋であり、周壁２と天板３とを一体に有する。周壁２は同一形状の他の蓋と積み重ねができる周知の形状を有している。周壁２の下端部の内側には、円周方向に隔てた複数箇所において凸部４が形成されて、この蓋１Ａをコップ５の上端部に載せ、強く押し付けた場合に、その凸部４がコップの上端部に形成されている玉縁６を乗り越えて、その玉縁６の下側に係合するとともに、その玉縁が凸部４の上側の凹部７に係合して、蓋１Ａが容易に外れないように形成されている。このような嵌合構造は、周知である。
【００１３】
蓋１Ａは、周壁２と天板３の間に収容空間８を有している。また、天板３には、その中心と外周との中間において、後述される貫通部材を差し込むための孔９が形成されている。そして、収容空間８には、上記添加物容器に相当する袋１０が収容され、その袋１０は、孔９の周辺において溶着又は接着等により固定されて、その孔９は密閉されている。
【００１４】
添加物を収容した袋１０は、図３に例示するように、その厚みが蓋１Ａの安定した積み重ねを妨げない厚みに制限されている。また、袋１０は、串又は爪楊枝などのように鋭い先端を有する貫通部材により貫通して引き抜くと、貫通孔が形成され得る材料、例えば、アルミホイル又は合成樹脂フィルム等で形成されている。袋１０の中に収容される添加物（図示省略）は、コップ５に収容される飲食物に通常添加される物であり、例示すると、ミルク、シロップ、蜜、砂糖、レモン水、ラー油、酢、醤油などである。一つの袋には１種類の添加物が収容されている。
【００１５】
蓋１Ａは、これに設けられる孔９の数により、１個、２個及び３個の３種類を用意しても良いし、２個又は３個の孔を有する１種類又は２種類の蓋を用意しても良い。複数個の孔９を形成する場合は、天板３の中心と共通の中心を有する円上にほぼ等間隔をもって形成することが望ましい。そして、袋１０を設けた孔９は、その袋により密閉されるので、そのままでも良いが、袋を設けない孔はシールで密閉することが望ましい。袋を設けた孔も、これに設けた袋に収容されている添加物の種類を示す文字や記号などを印刷されたシール１１で剥離可能に密閉することが望ましい。こうすることにより、欲する添加物がどこにあるかが客に一目瞭然である。また、飲食時に欲求する添加物を間違いなく選択することができる。
【００１６】
添加物が入った袋１０が設けられていない孔は、添加物の種類を示す文字等が記載されていないシールで密閉されているので、そこには添加物が無いことが判る。蓋の少なくとも天板３を透明にした場合は、コップ５の中の収容物、すなわち飲食物が見えるほか、添加物を収容した袋１０も見えるので、その袋に添加物の種類を示す文字などが印刷されていても良く、孔が複数個設けられている場合に、添加物の存在位置を容易に認識できる利点がある。
【００１７】
蓋の天板３には、また、飲み口１２が設けられている。アイスコーヒー又はアイスティー用の蓋の場合は、天板３にはストロー挿入口となる孔が設けられる。ストロー挿入口となる孔は、Ｃ字形（又はＸ字形）の弱め線で形成され、ストロー１３の先端でその弱め線の内側を押すことにより、ストロー挿入口が開口される。飲み口は、指先で剥離可能なシール１２ａで密閉されても良い。
【００１８】
好ましい実施の形態においては、図１に仮想線で示すように、蓋１Ａの天板３の上面に、本発明の蓋専用の貫通部材１４が添着されている。この貫通部材１４は、薄平板状の摘み部１４ａと、短い串状の貫通部１４ｂとを一体に有するものであり、澱粉などの環境に優しい材料で成形されている。貫通部１４ｂは、袋１０を完全に貫通することができるだけの長さを有している。これにより、この貫通部材が人に大怪我を与える凶器に使用されないように配慮されている。
また、摘み部１３ａは貫通部１３ｂの全部を孔９に差し込んだ時に、天板３に止められてストッパとして作用するように、孔９の直径よりも大きい幅を有している。従って、摘み部１４ａで止められるまで貫通部１４ｂを差し込めば、袋１０が確実に貫通される。摘み部１４ａは、その縦中央線に沿って二つ折りが可能なものであることが望ましい。
【００１９】
上記構成の蓋を用いる際は、店員は、予め、添加物を１種類のみ（例えばミルクのみ又は蜜のみ）を有する蓋、２種類の添加物（例えばミルクと砂糖、又はレモン水と砂糖）を有する蓋、などを種類ごとにそれぞれスタッカー等に積重ねて備え置き、客が飲物を注文した時は、客の希望する種類の添加物を有する蓋をそのスタッカーから取り出し、その客が注文した商品を注入したコップに嵌着して、客に渡す。客は、カウンター又はテーブルに移動して、その蓋付コップの添加物名が印刷されているシール１１を剥離し、現出した孔９に、天板３から分離した貫通部材１４の貫通部１４ｂを摘み部１４ａが止められるまで差し込んだ後、その貫通部材１４を引き抜くと、袋１０にはその上下に貫通孔が形成され、上部の貫通孔から空気が入るため、下部の貫通孔からはその袋に入っている添加物が円滑にコップ５内に流下する。
【００２０】
蓋付コップに専用の貫通部材１４が付けられていない場合は、テーブル等に備え置いてある爪楊枝や類似物を貫通部材として用いても良い。
貫通部材の差し込み部を差し込むだけで添加物が流下するので、ミルクカップ又は袋等を指先で開けて流下させる従来と異なり、ミルク等の添加物で指又はテーブル面等を汚すことがない。
【００２１】
貫通部材１４の差し込み部１４ｂの長さを、例えば、蓋の天板３の直径とほぼ等しい程度まで長くすれば、添加物を流下されせた後、その貫通部材の差し込み部を回動させて、添加物を撹拌し混合を促進させることができる。飲み口から貫通部材の摘み部を挿入して撹拌することもできる。貫通部材の差し込み部１４ｂをさらに長くし、二つ折りにして天板上面に添着し、使用時に長く延ばして使うようにしても良い。
こうして、客は添加物を添加した後、飲み口から飲み物を飲むことができる。ストロー挿入口となる孔を有するコップの場合は、そのストロー挿入口にストロー１３の先端を差し込んで開口し、そのままストローをさらに飲物まで差し込み、必要に応じてそのストローで添加物を飲物と撹拌して、飲むことができる。
【００２２】
飲み終わった時は、摘み部１４ａにおいて縦中央線に沿って二つ折りした貫通部材１４を飲み口１２又はストロー挿入口からコップ５内に投入し、ストロー１３を用いた場合は、そのストロー挿入口に差し込むことにより、袋１０、貫通部材１４及びストロー１３のすべてを使い捨て蓋付コップの中に収容して、１個のごみとしてごみ箱などに廃棄することができる。従って、後片付けが簡単になるばかりでなく、店内に用意してあるごみ箱に占める死空間が従来に比し著しく少なくなるから、店員によるごみ箱からのごみ回収の回数が削減されるとともに、従来と異なり、袋、貫通部材及びストローなどの小物の収集が不要であるため、回収作業能率も格段に向上する。また、従来のように、添加物を出した後の容器から残留添加物が零れてテーブルが汚れることもない。
【００２３】
図４及び図５は、本発明の他の実施の形態を示す。図４は平面図、図５は図４のＹ−Ｙ線断面図である。この実施の形態においては、蓋１Ｂの天板３を窪ませて収容空間８´を形成し、その収容空間を透明なシール１５で覆い、そのシール１５の周縁を周壁２の上端面に溶着又は接着などにより接合してあり、収容空間８´に添加物を収容した袋１０が収容されて、シール１５と天板３の間に固定されている。そして、シール１５と天板３には、袋１０を上下に貫通する位置に、貫通部材１４を貫通するための孔１６，９が形成されている。
袋１０を固定するには、好ましくは、シール１５の下面に予め袋を接合して置き、シール１５を周壁２の上端面に接合した時に、袋の底部を天板３に密着させる方法が良い。しかし、袋１０を収容空間８´に収容して天板３に接合した後、シール１５を蓋１Ｂに貼り付けても良い。
【００２４】
シール１５には、孔１６の近辺に、その孔から差し込まれる貫通部材１４により貫通される袋に収容されている添加物の種類を示す文字等が印刷されている。これに代えて、添加物の種類を示す文字等が印刷された別のシールをその孔１６を密閉するように剥離可能に貼り付けても良い。
【００２５】
シール１５と天板３には、袋が設けられていない位置において、上下方向に貫通する飲み口１７，１８が形成されている。飲み口に代えてストロー挿入口が設けられる場合がある。これらの孔もＣ字形（又はＸ字形）の弱め線により構成される。この実施の形態においても、シール１５の上面に、図１及び図２に示されたのと同様の貫通部材（図示省略）が添着されている。
【００２６】
上記構成により、添加物を収容した蓋１Ｂが嵌合されたコップ５に入れられた飲物を購入した客は、貫通部材１４をシール１５の孔１６に垂直に差し込み、貫通部１４ｂの先端が孔９を通過するまで貫通した後引き抜くと、その袋の上下に貫通孔が形成されるため、添加物がコップ内に流下する。従って、飲み口又はストロー挿入口に差し込んだ貫通部材又はストローで撹拌して、飲物を飲むことができる。
【００２７】
以上には、コップ内に入っている物が主として飲物である場合について説明したが、スープ、ラーメン等の麺類、その他の飲食物である場合にも、同様に適用可能である。また、蓋が装着される容器は、使い捨てコップに限らず、他の任意の容器でも良い。さらに、添加物容器は、上記のような袋に限定されず、上下の面が貫通部材で貫通可能に成形されたミニカップ状の容器も使用可能である。
【００２８】
【発明の効果】
上述のように、請求項１の発明によれば、蓋の周壁と天板とによって形成されている収容空間に、添加物容器を収容して天板に固定するので、添加物をその種類数に関わりなく簡単に備えることができ、従って、賞味期限の短い添加物でも迅速に付加して消費することができる。また、添加物容器は蓋の積み重ねを妨げない厚みを有するので、蓋の積み重ねができる。しかも、袋、貫通部材及びストロー等の小物のすべてを蓋付コップの中に収容して、一つのごみとして廃棄ができので、客又は店員の後片付けが簡単になるばかりでなく、店内に用意してあるごみ箱に占める死空間が従来に比し著しく少なくなるから、店員によるごみ箱からのごみ回収の回数が削減されるとともに、従来と異なり、袋、貫通部材及びストロー等の小物の収集が不要であるため、回収作業の能率も格段に向上する。
【００２９】
請求項２の発明によれば、貫通部材差し込み用の孔を密閉する剥離可能なシールに、その孔の下側に固定されている添加物容器に収容されている添加物の種類を示す文字等が印刷されているので、店員が客の希望する種類の添加物を具備する蓋を、誤りなく容易に選択して、飲食物容器に装着することができる。
【００３０】
請求項３の発明によれば、天板の上面に、摘み部と差し込み部を有する貫通部材が剥離可能に接合されているので、貫通部材を探し回ることなく、迅速に蓋の添加物を容器内に流下させることができる。
【００３１】
請求項４の発明によれば、積み重ね可能な蓋の天板を周壁の間に窪ませて形成された収容空間の開口面を覆うシールの周縁が周壁の上端面に接合され、前記収容空間に貫通部材を貫通して引き抜くと貫通孔が形成され得る添加物容器が収容されて固定され、前記シール及び天板には前記添加物容器に前記貫通部材を上下方向に貫通させる孔が設けてあるので、請求項１の発明と同様に、蓋に添加物を容易に備えることができ、蓋の積み重ねも可能である。
【００３２】
請求項５の発明によれば、シールに添加物容器に貫通部材を貫通するための孔が形成され、その孔の近辺に前記添加物容器に収容されている添加物の種類を示す文字等が印刷されているので、店員が客の希望する種類の添加物を具備する蓋を、誤りなく容易に選択して、飲食物容器に装着することができる。
【００３３】
請求項６の発明によれば、収容空間を密閉するシールの上面に、摘み部と差し込み部を有する貫通部材が剥離可能に接合されているので、貫通部材を探し回ることなく、迅速に蓋の添加物を容器内に流下させることができる。
【図面の簡単な説明】
【図１】本発明の第１の実施の形態を示す平面図。
【図２】図１のＸ−Ｘ線断面図。
【図３】蓋を積み重ねた状態の断面図。
【図４】本発明の第２の実施の形態を示す平面図。
【図５】図４のＹ−Ｙ線断面図。
【符号の説明】
１Ａ，１Ｂ　蓋
２　　　　　周壁
３　　　　　天板
５　　　　　コップ（容器）
８．８´　　収容空間
９　　　　　貫通部材を差し込むための孔
１０　　　　添加物を収容した袋
１１　　　　シール
１２　　　　飲み口
１３　　　　ストロー
１４　　　　貫通部材の一例
１４ａ　　　摘み部
１４ｂ　　　貫通部
１５　　　　シール
１６　　　　貫通部材を差し込むための孔
１７，１８　飲み口
【図１】
2004115093.tif 000003
【図２】
2004115093.tif 000004
【図３】
2004115093.tif 000005
【図４】
2004115093.tif 000006
【図５】
2004115093.tif 000007